(57)【要約】      （修正有）【課題】空間効率を高めることが可能な電池モジュール及び電池パックを提供する。【解決手段】対をなして対向して配置されるエンドプレート５０と、前記エンドプレートの間で一方向に沿って配列された複数の電池ユニット１０と、前記電池ユニットの第１面に沿って延び、前記エンドプレートに結合される第１サイドプレート４０と、前記電池ユニットの前記第１面とは反対側の第２面に沿って延び、前記エンドプレートに結合される第２サイドプレート４０と、前記エンドプレートと第１サイドプレートとを結合する第１締結部材Ｐ１と、前記エンドプレートと第２サイドプレートとを結合する第２締結部材Ｐ２と、を備え、前記エンドプレートの中心線を基準として、前記第１締結部材と前記第２締結部材とは、互いに非対称的な位置に形成される電池モジュール１００である。【選択図】図５
2011119222.tif 000002
【特許請求の範囲】
【請求項１】
対をなして対向して配置されるエンドプレートと、
前記エンドプレートの間で一方向に沿って配列された複数の電池ユニットと、
前記電池ユニットの第１面に沿って延び、前記エンドプレートに結合される第１サイドプレートと、
前記電池ユニットの前記第１面とは反対側の第２面に沿って延び、前記エンドプレートに結合される第２サイドプレートと、
前記エンドプレートと第１サイドプレートとを結合する第１締結部材と、
前記エンドプレートと第２サイドプレートとを結合する第２締結部材と、を備え、
前記エンドプレートの中心線を基準として、前記第１締結部材と前記第２締結部材とは、互いに非対称的な位置に形成されることを特徴とする電池モジュール。
【請求項２】
前記エンドプレートは、
前記電池ユニットと隣接して配置されるベースプレートと、
前記ベースプレートの第１端部から前記電池ユニット側とは逆側の方向に折り曲げられた第１フランジ部と、
前記ベースプレートの第２端部から前記電池ユニット側とは逆側の方向に折り曲げられた第２フランジ部と、を備えることを特徴とする請求項１に記載の電池モジュール。
【請求項３】
前記第１締結部材は、前記第１フランジ部と第１サイドプレートとを互いに結合し、
前記第２締結部材は、前記第２フランジ部と第２サイドプレートとを互いに結合することを特徴とする請求項２に記載の電池モジュール。
【請求項４】
前記第１締結部材と共に、前記エンドプレートと第１サイドプレートとを互いに結合する第３締結部材と、
前記第２締結部材と共に、前記エンドプレートと第２サイドプレートとを互いに結合する第４締結部材と、をさらに備えることを特徴とする請求項１〜３のいずれか１項に記載の電池モジュール。
【請求項５】
前記エンドプレートの中心線を基準として、前記第１締結部材及び第３締結部材と、前記第２締結部材及び第４締結部材は、互いに非対称的な位置に形成されることを特徴とする請求項４に記載の電池モジュール。
【請求項６】
前記第１締結部材〜第４締結部材は、前記第１面及び前記第２面に垂直な第３面からそれぞれ異なる高さに形成されていることを特徴とする請求項５に記載の電池モジュール。
【請求項７】
前記第１締結部材及び第２締結部材は、前記エンドプレートとサイドプレートとをねじ結合させることを特徴とする請求項１〜６のいずれか１項に記載の電池モジュール。
【請求項８】
前記電池ユニットの第３面に沿って延び、前記エンドプレートに結合される上部プレートと、
前記電池ユニットの前記第３面とは反対側の第４面に沿って延び、前記エンドプレートに結合される下部プレートと、をさらに備えることを特徴とする請求項１〜７のいずれか１項に記載の電池モジュール。
【請求項９】
複数の電池モジュールを備える電池パックであって、
前記各電池モジュールは、
対をなして対向して配置されたエンドプレートと、
前記エンドプレートの間で第１方向に沿って配列された複数の電池ユニットと、
前記電池ユニットの第１面に沿って延び、前記エンドプレートに結合される第１サイドプレートと、
前記電池ユニットの前記第１面とは反対側の第２面に沿って延び、前記エンドプレートに結合される第２サイドプレートと、
前記エンドプレートと第１サイドプレートとを結合する第１締結部材と、
前記エンドプレートと第２サイドプレートとを結合する第２締結部材と、を備え、
前記エンドプレートの中心線を基準として、前記第１締結部材と前記第２締結部材とは、互いに非対称的な位置に形成されることを特徴とする電池パック。
【請求項１０】
前記エンドプレートは、
前記電池ユニットと隣接して配置されるベースプレートと、
前記ベースプレートの第１端部から前記電池ユニット側とは逆側の方向に折り曲げられた第１フランジ部と、
前記ベースプレートの第２端部から前記電池ユニット側とは逆側の方向に折り曲げられた第２フランジ部と、を備えることを特徴とする請求項９に記載の電池パック。
【請求項１１】
前記第１締結部材は、前記第１フランジ部と第１サイドプレートとを互いに結合し、
前記第２締結部材は、前記第２フランジ部と第２サイドプレートとを互いに結合することを特徴とする請求項１０に記載の電池パック。
【請求項１２】
第１締結部材と共に、前記エンドプレートと第１サイドプレートとを互いに結合する第３締結部材と、
前記第２締結部材と共に、前記エンドプレートと第２サイドプレートとを互いに結合する第４締結部材と、をさらに備えることを特徴とする請求項９〜１１のいずれか１項に記載の電池パック。
【請求項１３】
前記エンドプレートの中心線を基準として、前記第１締結部材及び第３締結部材と、前記第２締結部材及び第４締結部材は、互いに非対称的な位置に形成されることを特徴とする請求項１２に記載の電池パック。
【請求項１４】
前記第１締結部材〜第４締結部材は、前記第１面及び前記第２面に垂直な第３面からそれぞれ異なる高さに形成されていることを特徴とする請求項１３に記載の電池パック。
【請求項１５】
前記第１締結部材及び第２締結部材は、前記エンドプレートとサイドプレートとをねじ結合させることを特徴とする請求項９〜１４のいずれか１項に記載の電池パック。
【請求項１６】
前記電池ユニットの第３面に沿って延び、前記エンドプレートに結合される上部プレートと、
前記電池ユニットの前記第３面とは反対側の第４面に沿って延び、前記エンドプレートに結合される下部プレートと、をさらに備えることを特徴とする請求項９〜１５のいずれか１項に記載の電池パック。
【請求項１７】
前記複数の電池モジュールは、前記第１方向に垂直な第２方向に配列されることを特徴とする請求項９〜１６のいずれか１項に記載の電池パック。
【請求項１８】
前記第２方向に配列された前記複数の電池モジュールは、前記第１締結部材及び第２締結部材どうしで互いに隣接して配置されることを特徴とする請求項１７に記載の電池パック。
【請求項１９】
前記複数の電池モジュールは、前記第１方向及び第２方向に垂直な第３方向にも配列されることを特徴とする請求項１７に記載の電池パック。
【請求項２０】
前記第３方向に配列された前記複数の電池モジュールは、前記第１締結部材及び第２締結部材どうしで互いに隣接して配置されることを特徴とする請求項１９に記載の電池パック。
【発明の詳細な説明】
【技術分野】
【０００１】
本発明は、電池モジュール及び複数の電池モジュールを連結した電池パックに関する。
【背景技術】
【０００２】
一般的に、二次電池は、充電の不可能な一次電池とは異なり、充電及び放電の可能な電池である。二次電池は、モバイル機器、電気自動車、ハイブリッド自動車、電気自転車、無停電電源供給装置などのエネルギー源として使われ、適用される外部機器の種類によって単一電池の形態、又は複数の電池を電気的に連結して一つの単位に集めた電池パックの形態に使われことがある。
【０００３】
携帯電話のような小型モバイル機器は、単一電池の出力及び容量で所定時間作動が可能であるが、電力消耗の多い電気自動車、ハイブリッド自動車のように長時間駆動、高電力駆動が必要な場合には、出力及び容量の問題のために電池パックが好まれる。そして、電池パックは、内蔵された電池の個数によって出力電圧や出力電流を高めることができる。
【発明の概要】
【発明が解決しようとする課題】
【０００４】
しかし、かかる電池パックは、出力電圧、電流を考慮して複数の電池を備えている一方、自動車などの狭い装着空間内に収容されねばならないので、省スペース装着効率を高めることが要求されるという問題がある。
【０００５】
そこで、本発明は、上記問題に鑑みてなされたものであり、本発明の目的とするところは、限定された装着空間内に集約的に装着されることによって、空間効率を高めることが可能な、新規かつ改良された電池モジュール及び電池パックを提供することにある。
【課題を解決するための手段】
【０００６】
上記課題を解決するために、本発明のある観点によれば、対をなして対向して配置されるエンドプレートと、前記エンドプレートの間で一方向に沿って配列された複数の電池ユニットと、前記電池ユニットの第１面に沿って延び、前記エンドプレートに結合される第１サイドプレートと、前記電池ユニットの前記第１面とは反対側の第２面に沿って延び、前記エンドプレートに結合される第２サイドプレートと、前記エンドプレートと第１サイドプレートとを結合する第１締結部材と、前記エンドプレートと第２サイドプレートとを結合する第２締結部材と、を備え、前記エンドプレートの中心線を基準として、前記第１締結部材と前記第２締結部材とは、互いに非対称的な位置に形成されることを特徴とする電池モジュールが提供される。
【０００７】
前記エンドプレートは、前記電池ユニットと隣接して配置されるベースプレートと、前記ベースプレートの第１端部から前記電池ユニット側とは逆側の方向に折り曲げられた第１フランジ部と、前記ベースプレートの第２端部から前記電池ユニット側とは逆側の方向に折り曲げられた第２フランジ部と、を備えることができる。
【０００８】
前記第１締結部材は、前記第１フランジ部と第１サイドプレートとを互いに結合し、前記第２締結部材は、前記第２フランジ部と第２サイドプレートとを互いに結合することができる。
【０００９】
前記第１締結部材と共に、前記エンドプレートと第１サイドプレートとを互いに結合する第３締結部材と、前記第２締結部材と共に、前記エンドプレートと第２サイドプレートとを互いに結合する第４締結部材と、をさらに備えることができる。
【００１０】
前記エンドプレートの中心線を基準として、前記第１締結部材及び第３締結部材と、前記第２締結部材及び第４締結部材は、互いに非対称的な位置に形成されることができる。
前記第１締結部材〜第４締結部材は、前記第１面及び前記第２面に垂直な第３面からそれぞれ異なる高さに形成されていることができる。
【００１１】
前記第１締結部材及び第２締結部材は、前記エンドプレートとサイドプレートとをねじ結合させることができる。
【００１２】
前記電池ユニットの第３面に沿って延び、前記エンドプレートに結合される上部プレートと、前記電池ユニットの前記第３面とは反対側の第４面に沿って延び、前記エンドプレートに結合される下部プレートと、をさらに備えることができる。
【００１３】
また、上記課題を解決するために、本発明の別の観点によれば、複数の電池モジュールを備える電池パックであって、前記各電池モジュールは、対をなして対向して配置されたエンドプレートと、前記エンドプレートの間で第１方向に沿って配列された複数の電池ユニットと、前記電池ユニットの第１面に沿って延び、前記エンドプレートに結合される第１サイドプレートと、前記電池ユニットの前記第１面とは反対側の第２面に沿って延び、前記エンドプレートに結合される第２サイドプレートと、前記エンドプレートと第１サイドプレートとを結合する第１締結部材と、前記エンドプレートと第２サイドプレートとを結合する第２締結部材と、を備え、前記エンドプレートの中心線を基準として、前記第１締結部材と前記第２締結部材とは、互いに非対称的な位置に形成される電池パックが提供される。
【００１４】
前記複数の電池モジュールは、前記第１方向に垂直な第２方向に配列されることができる。
【００１５】
前記第２方向に配列された前記複数の電池モジュールは、前記第１締結部材及び第２締結部材どうしで互いに隣接して配置されることができる。
【００１６】
前記複数の電池モジュールは、前記第１方向及び第２方向に垂直な第３方向にも配列されることができる。
【００１７】
前記第３方向に配列された前記複数の電池モジュールは、前記第１締結部材及び第２締結部材どうしで互いに隣接して配置されることができる。
【発明の効果】
【００１８】
以上説明したように本発明によれば、電池モジュールの外部に突出する締結部材の結合位置を非対称的に設計することによって、複数の電池モジュール間の結合によって形成される電池パックが集約的にパッキングされ、電池パックの外形寸法を小さくすることによって、狭い装着空間内に効率的に装着されて空間効率を高めることができる。
【図面の簡単な説明】
【００１９】
【図１】本発明の一実施形態に関する電池モジュールを示した図面であって、分解状態を示す図面である。
【図２】本発明の一実施形態に関する電池モジュールを示した図面であって、組立状態を示す図面である。
【図３】本発明の一実施形態に関する電池パックの斜視図である。
【図４】図３のエンドプレート部分を拡大して示した図面である。
【図５】エンドプレートとサイドプレートとの間の第１締結部材〜第４締結部材が非対称的な位置に形成されることを説明するための図面である。
【図６】エンドプレートとサイドプレートとの間の第１締結部材〜第４締結部材が非対称的な位置に形成されることを説明するための図面である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
本実施形態において、電池パックは、少なくとも一つ以上の電池モジュールを備えて構成され、各電池モジュールは、所定の方向に配列された複数の電池ユニットを備え、それらの相互間に電気的な連結を形成することによって構成される。
【００２２】
図１には、電池モジュール１００の分解斜視図が示されている。図２には、電池モジュールの組立状態が示されている。図１及び図２に示したように、電池モジュール１００は、列をなして配列された複数の電池ユニット１０と、電池列１５を取り囲むプレート２０，３０，４０，５０と、を備える。例えば、電池ユニット１０は、一方向に沿って列をなして配置され、電池モジュール１００は、１列または２列以上の複数列をなして複数の電池ユニット１０が配列される積層構造を有する。
【００２３】
電池ユニット１０としては、リチウムイオン電池のような二次電池が適用される。また、円筒形二次電池、角形二次電池、またはポリマー二次電池など多様な形態の二次電池が適用され、いずれか一つの形態に限定される必要はない。例えば、電池ユニット１０は、電極組立体（図示せず）、ケース１１及び電極端子１２を備える。電極組立体（図示せず）は、図示していない正極、セパレータ、負極を備え、巻取型または積層型に形成される。ケース１１は、その内部に電極組立体を収容し、電極組立体と外部回路との間の電気接続のために、ケース１１の外部に電極端子１２が引き出される。電池ユニット１０は、電極端子１２間の接続を通じて互いに電気的に連結され、直列連結または並列連結される。例えば、バスバー１８を通じて電極端子１２が互いに連結される。一方、ケース１１上には、安全ベント１３が形成される。安全ベント１３は、相対的に弱い強度で設計され、ケース１１内に既に設定された臨界ポイント以上の内圧がかかれば、破断されて内部ガスを噴出させる機能を行う。
【００２４】
電池列１５の方向に沿って、両側には一対のエンドプレート５０が配置される。エンドプレート５０の一面は、電池列１５の外郭に配置された電池ユニット１０と密着されている。エンドプレート５０は、電池列１５を構成する電池ユニット１０を一つの単位に集めて結束させる一方、充放電動作による電池ユニット１０の体積膨脹を抑制し、抵抗特性を維持することによって、電池の電気的特性の劣化を防止する機能を行う。
【００２５】
エンドプレート５０は、ベースプレート５１と、ベースプレート５１のエッジから折り曲げられたフランジ部５２，５３，５４，５５と、を備える。ベースプレート５１は、電池ユニット１０の外面をカバーできるほどの十分な面積で形成されることが望ましい。
【００２６】
フランジ部５２，５３，５４，５５は、ベースプレート５１のエッジから電池列１５の逆方向に折り曲げられている。このとき、ベースプレート５１の左右エッジまたは下部エッジのように、ベースプレート５１からカットされずに全体部材形態に折り曲げられて一つのフランジ部５３，５４を形成するか、またはベースプレート５１の上部エッジのように、ベースプレート５１がカットされて折り曲げられる高さを相異ならせることによって、互いに分離された複数のフランジ部５２，５５を形成することもできる。フランジ部５２，５３，５４，５５は、エンドプレート５０と他の部材との結合を媒介するための結合口の役割を行い、他の部材との結合状態によって多様な変形が可能である。また、フランジ部５２，５３，５４，５５は、エンドプレート５００の機械的な剛性を補強する役割も兼ねる。フランジ部５２，５３，５４，５５には、複数の結合孔が形成される。
【００２７】
エンドプレート５０は、サイドプレート４０を通じて相対側のエンドプレート５０と結合をなし、サイドプレート４０は、対をなすエンドプレート５０を互いに対して結束させる。サイドプレート４０は、電池列１５の側面に沿って延び、一端及び他端がそれぞれ互いに反対側に配置されたエンドプレート５０に結合される。サイドプレート４０は、一方向に沿って延びるストリップ形態を取ることができる。サイドプレート４０は、エンドプレート５０の左右エッジから折り曲げられたフランジ部５４とねじ結合をなし、サイドプレート４０とフランジ部５４とを重ねて配置して結合孔を一致させた後、ボルト−ナットなどの締結部材を利用して両者４０，５４をねじ結合させる。ねじ結合を通じて、サイドプレート４０及びフランジ部５４は、少なくとも一部にわたって互いに接する面接触を形成できる。
【００２８】
サイドプレート４０には、放熱孔４０ａが形成される。例えば、放熱孔４０ａは、サイドプレート４０の長手方向に沿って一定の間隔をおいて複数形成される。放熱孔４０ａは、電池ユニット１０と外気との接触を許容することによって、電池ユニット１０から生成された駆動熱を迅速に排出させるのに寄与できる。
【００２９】
電池列１５の下部には、下部プレート３０が配置される。下部プレート３０は、電池列１５の下部を横切って延び、エンドプレート５０の下部に連結される。下部プレート３０は、両側端が互いに対向して折り曲げられたベンディング部３０ａを有するストリップ状を有する。下部プレート３０は、電池列１５をはじめとする電池モジュール１００の全体荷重を支持する役割を行い、折り曲げられたベンディング部３０ａを備えることによって曲げ強度が補強される。
【００３０】
下部プレート３０は、エンドプレート５０の下部エッジから折り曲げられたフランジ部５３とねじ結合をなし、下部プレート３０とフランジ部５３とを重ねて配置して結合孔を一致させた後、ボルト−ナットなどの締結部材を利用して両者３０，５３間をねじ結合させる。ねじ結合を通じて、下部プレート３０とフランジ部５３とは、少なくとも一部にわたって互いに接する面接触を形成できる。
【００３１】
電池列１５の上部には、上部プレート２０が配置される。上部プレート２０は、電池列１５の上部を横切って延び、エンドプレート５０の上部に連結される。上部プレート２０は、両側端が互いに対向して折り曲げられたベンディング部２１を有するストリップ状をなす。上部プレート２０の長手方向に沿って電池ユニット１０の安全ベント１３と対応する位置には、開口部２０ａが形成される。上部プレート２０は、エンドプレート５０の上部エッジから折り曲げられたフランジ部５２とねじ結合をなし、上部プレート２０とフランジ部５２とを重ねて配置して結合孔を一致させた後、ボルト−ナットなどの締結部材を利用して両者２０，５２間をねじ結合させる。ねじ結合を通じて、上部プレートとフランジ部とは、少なくとも一部にわたって互いに接する面接触を形成できる。
【００３２】
図３は、図２に示した電池モジュールを複数結合して構成される電池パック３００を示す図面である。図３に示したように、電池パック３００は、複数の電池モジュール１００が上下方向Ｚ１及び左右方向Ｚ２に積層されてなる集合体である。電池パック３００を構成する電池モジュール１００の個数は、設計仕様で要求する充放電電流と容量を考慮して決定され、電池パック３００を構成する電池モジュール１００は、相互間に電気的な連結を形成でき、直列連結または並列連結される。
【００３３】
隣接して配置された電池モジュール１００間の結合は、電池モジュール１００の外郭を構成するエンドプレート５０間の結合によりなされる。図４は、図３のエンドプレート５０の部分を拡大して示した図面である。図４において、図面番号と共に括弧内に併記された添字Ｕ，Ｄ，Ｌ，Ｒは、電池モジュール１００の相対的な位置を表すものであって、それぞれ上側Ｕ、下側Ｄ、左側Ｌ、右側Ｒに配置された電池モジュール１００であることを表示するためのものであり、例えば、上側に配置された電池モジュールは、１００（Ｕ）または１００（Ｌ）で表示され、左側に配置された電池モジュールは、１００（Ｌ）で表示される。
【００３４】
上下方向Ｚ１に配置された電池モジュール１００（Ｕ），１００（Ｄ）間の結合について説明すれば、上側電池モジュール１００（Ｕ）と下側電池モジュール１００（Ｄ）とは、互いに上下方向Ｚ１に整列された位置に配置されている。上側電池モジュール１００（Ｕ）の下部エッジには、下部フランジ部５３が形成され、下側電池モジュール１００（Ｄ）の上部エッジには、上部フランジ部５５が形成される。上下電池モジュール１００（Ｕ），１００（Ｄ）のフランジ部５３，５５を互いに重ねて配置して結合孔を一致させた後、結合孔を通じて結合部材１５３を締結することによって、例えば、結合孔を通じてボルトを挿入してナットで締結することによって、上下電池モジュール１００（Ｕ），１００（Ｄ）を相互結束させる。このとき、上下電池モジュール１００（Ｕ），１００（Ｄ）のフランジ部５３，５５は、少なくとも一部で互いに接する面接触を形成できる。フランジ部５３，５５の面接触を通じて、上側電池モジュール１００（Ｕ）の荷重は、下側電池モジュール１００（Ｄ）により支持される。
【００３５】
一方、左右方向Ｚ２に配置された電池モジュール１００（Ｌ），１００（Ｒ）間の結合について説明すれば、例えば、左側電池モジュール１００（Ｌ）と右側電池モジュール１００（Ｒ）とは、互いに同じ水平レベルに配置されている。左側電池モジュール１００（Ｌ）の右側エッジ及び右側電池モジュール１００（Ｒ）の左側エッジには、互いに対向して配置された一対のフランジ部５４が形成されている。このとき、左右電池モジュール１００（Ｌ），１００（Ｒ）のフランジ部５４を互いに重ねて配置して結合孔を一致させた後、結合孔を通じて結合部材１５４を締結することによって、例えば、結合孔を通じてボルトを挿入してナットを締結することによって、左右電池モジュール１００（Ｌ），１００（Ｒ）間に結合を形成できる。
【００３６】
図５は、左右に配置された電池モジュール１００（Ｌ），１００（Ｒ）の結合状態を示す図面である。図５に示したように、左側電池モジュール１００（Ｌ）と右側電池モジュール１００（Ｒ）との互いに対向するフランジ部５４には、サイドプレート４０を固定するためのボルト−ナットの締結部材Ｐ１，Ｐ２，Ｐ３，Ｐ４が締結されている。例えば、ボルト−ナット締結方式において、ボルトのヘッド部分Ｈは、隣接した電池モジュール１００に向かって突出している。このとき、左右電池モジュール１００（Ｌ），１００（Ｒ）の締結部材Ｐ１，Ｐ２，Ｐ３，Ｐ４が互いに重ならないように設計されることによって、左右電池モジュール１００（Ｌ），１００（Ｒ）が結束された時に締結部材Ｐ１，Ｐ２，Ｐ３，Ｐ４間に干渉が発生せず、締結部材Ｐ１，Ｐ２，Ｐ３，Ｐ４が互いに交差する位置（例えば、相異なる高さｈ１，ｈ２，ｈ３，ｈ４）に配置されることによって、隣接した電池モジュール１００が集約的に配置され、制約された装着空間内に複数の電池モジュール１００を配置できる。これと異なり、もし、隣接した電池モジュール１００の締結部材Ｐ１，Ｐ２，Ｐ３，Ｐ４が互いに重なる場合ならば、ボルトのヘッドＨの厚さを基準として少なくとも２倍以上の離隔が要求される。
【００３７】
換言すれば、電池モジュール１００の左右設計を非対称的に設計することによって、締結部材Ｐ１，Ｐ２，Ｐ３，Ｐ４のように必然的に突出する構造が干渉を起こさず、互いに対して行き違う位置（例えば、相異なる高さｈ１，ｈ２，ｈ３，ｈ４）を占有することによって、電池モジュール１００間の離隔を最小化し、全体の電池パック３００をコンパクト化させることができる。
【００３８】
前述したように、上下方向Ｚ１及び左右方向Ｚ２に配列された複数の電池モジュール１００は、エンドプレート５０を互いに結合させることによって、一つの電池パック３００の形態に結束される。このとき、エンドプレート５０の連結方式に対しては、ボルト−ナットのような機械的な締結方式以外に溶接結合方式などが適用されることもある。
【００３９】
図６は、電池モジュール１００のエンドプレート５０の部分を拡大して示した図面である。図６に示したように、エンドプレート５０は、ベースプレート５１と、ベースプレート５１のエッジから折り曲げられたフランジ部５２，５３，５４，５５とを備える。フランジ部５２，５３，５４，５５は、ベースプレート５１の上部から折り曲げられた上部中央フランジ部５２と、ベースプレート５１の下部から折り曲げられた下部フランジ部５３とを備え、ベースプレート５１の左側及び右側エッジから折り曲げられた左右フランジ部５４を備える。
【００４０】
上部中央フランジ部５２には、上部プレート２０が結合される。上部プレート２０は、電池列１５の上部を横切って両側に配置されたエンドプレート５０の上部中央フランジ部５２に結合される。下部フランジ部５３には、下部プレート３０が結合される。下部プレート３０は、電池列１５の下部を横切って両側に配置されたエンドプレート５０の下部フランジ部５３に結合される。
【００４１】
左右フランジ部５４には、サイドプレート４０を固定するためのボルト−ナットの締結部材Ｐ１，Ｐ２，Ｐ３，Ｐ４が締結されている。このとき、左右側に設けられた締結部材Ｐ１，Ｐ２，Ｐ３，Ｐ４は、エンドプレート５０の中心線Ｃを基準として互いに非対称的な位置に締結されており、相異なる高さｈ１，ｈ２，ｈ３，ｈ４に形成されている。例えば、左側フランジ部５４に締結される第１及び第２締結部材Ｐ１，Ｐ２は、上下方向Ｚ１に沿って相対的に外側に配置され、右側フランジ部５４に締結される第３及び第４締結部材Ｐ３，Ｐ４は、相対的に内側に配置され、第１ないし第４締結部材Ｐ１，Ｐ２，Ｐ３，Ｐ４は、基準線Ｌから相異なる第１ないし第４高さｈ１，ｈ２，ｈ３，ｈ４に形成されている。
【００４２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００４３】
本発明は、電池パック関連の技術分野に適用可能である。
【符号の説明】
【００４４】
２０    上部プレート
４０    サイドプレート
５０    エンドプレート
５２、５４、５５    フランジ部
１００（Ｌ）    左側電池モジュール
１００（Ｒ）    右側電池モジュール
１５４    結合部材
Ｐ１、Ｐ２、Ｐ３、Ｐ４    締結部材
【図１】
2011119222.tif 000003
【図２】
2011119222.tif 000004
【図３】
2011119222.tif 000005
【図４】
2011119222.tif 000006
【図５】
2011119222.tif 000007
【図６】
2011119222.tif 000008